(57)【要約】【課題】搬送対象物を適切に搬送することができる搬送装置を提供する。【解決手段】手差しされた搬送対象物を搬送する搬送部と、搬送開始指示が取得されてから経過した指示後経過時間を計時するタイマー９と、計時された指示後経過時間が待機時間に達した後に、搬送部に搬送対象物の搬送を開始させるコントローラー５とを備えた。この場合、待機時間に対応した待機時間情報を書換え可能に記憶するＲＡＭ５３をさらに備えたことが好ましい。【選択図】図２
2018104178.tif 000002
【特許請求の範囲】
【請求項１】
手差しされた搬送対象物を搬送する搬送部と、
搬送開始指示が取得されてから経過した指示後経過時間を計時する計時部と、
計時された前記指示後経過時間が待機時間に達した後に、前記搬送部に前記搬送対象物の搬送を開始させる制御部と、
を備えたことを特徴とする搬送装置。
【請求項２】
前記待機時間に対応した待機時間情報を書換え可能に記憶する記憶部、をさらに備えたことを特徴とする請求項１に記載の搬送装置。
【請求項３】
前記制御部は、前記指示後経過時間が前記待機時間に達した時点で、前記搬送対象物が手差しされている場合に、前記搬送部に前記搬送対象物の搬送を開始させ、前記搬送対象物が手差しされていない場合に、前記搬送部に前記搬送対象物の搬送を開始させないことを特徴とする請求項１または２に記載の搬送装置。
【請求項４】
前記制御部は、前記搬送対象物のサイズを特定可能なサイズ情報を取得し、取得された前記サイズ情報に基づいて、前記搬送対象物のサイズが基準サイズよりも小さいか否かを判断し、前記搬送対象物のサイズが前記基準サイズよりも小さいと判断した場合に、前記指示後経過時間が前記待機時間に達する前に前記搬送対象物の搬送を開始するように、前記搬送部を制御することを特徴とする請求項１ないし３のいずれか一項に記載の搬送装置。
【請求項５】
前記制御部は、搬送方向における前記搬送対象物の長さを前記搬送対象物のサイズとし、基準長さを前記基準サイズとして、前記搬送対象物のサイズが前記基準サイズよりも小さいか否かの判断を行うことを特徴とする請求項４に記載の搬送装置。
【請求項６】
前記制御部は、前記指示後経過時間が前記待機時間に達するまでの残存時間と、前記指示後経過時間と、の少なくとも一方を報知させることを特徴とする請求項１ないし５のいずれか一項に記載の搬送装置。
【請求項７】
前記制御部は、前記指示後経過時間が前記待機時間に達するまでの間に、延長指示が取得された場合に、前記待機時間を延長することを特徴とする請求項１ないし６のいずれか一項に記載の搬送装置。
【請求項８】
前記制御部は、前記指示後経過時間が前記待機時間に達するまでの間に、待機中止指示が取得された場合に、前記指示後経過時間が前記待機時間に達するのを待たずに、前記搬送部に前記搬送対象物の搬送を開始させることを特徴とする請求項１ないし７のいずれか一項に記載の搬送装置。
【請求項９】
搬送された前記搬送対象物から画像データを読み取る読取部、をさらに備えたことを特徴とする請求項１ないし８のいずれか一項に記載の搬送装置。
【請求項１０】
搬送装置のプロセッサーに、
搬送開始指示が取得されてから経過した指示後経過時間を、計時部に計時させるステップと、
計時された前記指示後経過時間が待機時間に達した後に、搬送部に手差しされた搬送対象物の搬送を開始させるステップと、
を実行させることを特徴とする搬送プログラム。
【請求項１１】
計時部が、搬送開始指示が取得されてから経過した指示後経過時間を計時するステップと、
搬送部が、計時された前記指示後経過時間が待機時間に達した後に、手差しされた搬送対象物の搬送を開始するステップと、
読取部が、搬送された前記搬送対象物を読み取って画像データを生産するステップと、
を実行することを特徴とする画像データ生産方法。
【発明の詳細な説明】
【技術分野】
【０００１】
本発明は、手差しされた搬送対象物を搬送する搬送装置、搬送プログラムおよび画像データ生産方法に関するものである。
【背景技術】
【０００２】
手差しされた搬送対象物を搬送する搬送装置として、手差しされた搬送対象物から手を離しても搬送対象物が床に落ちたりしないように、手差しされた搬送対象物を検出した場合に、給紙ローラーにより搬送対象物を保持するようにした搬送装置が知られている（特許文献１および特許文献２参照）。
【先行技術文献】
【特許文献】
【０００３】
【特許文献１】特開平０４−３６６８６０号公報
【特許文献２】特開平１１−２４６０６３号公報
【発明の概要】
【発明が解決しようとする課題】
【０００４】
このような搬送装置では、ユーザーが搬送対象物を手差ししたことで搬送対象物が保持され、搬送対象物の搬送が開始されるため、ユーザーにより搬送対象物が誤って斜めに差された状態であっても、ユーザーが差し直すことができずに搬送対象物の搬送が開始されることになる。そのため、搬送対象物が搬送方向に対して斜行して搬送されるおそれがある。その結果、搬送対象物にシワ等が生じてしまう。
【０００５】
本発明は、搬送対象物を適切に搬送することができる搬送装置、搬送プログラムおよび画像データ生産方法を提供することを課題としている。
【課題を解決するための手段】
【０００６】
本発明の搬送装置は、手差しされた搬送対象物を搬送する搬送部と、搬送開始指示が取得されてから経過した指示後経過時間を計時する計時部と、計時された指示後経過時間が待機時間に達した後に、搬送部に搬送対象物の搬送を開始させる制御部と、を備えたことを特徴とする。
【０００７】
本発明の搬送プログラムは、搬送装置のプロセッサーに、搬送開始指示が取得されてから経過した指示後経過時間を、計時部に計時させるステップと、計時された指示後経過時間が待機時間に達した後に、搬送部に手差しされた搬送対象物の搬送を開始させるステップと、を実行させることを特徴とする。
【０００８】
この構成によれば、搬送開始指示が取得されてから経過した指示後経過時間が待機時間に達した後に、搬送対象物の搬送が開始される。これにより、ユーザーが、搬送開始指示のための操作を行った後、指示後経過時間が待機時間に達するまでの間に、搬送対象物を手差しすることが可能となる。このため、ユーザーにより搬送対象物が保持された状態で、搬送対象物の搬送が開始される。したがって、搬送対象物が斜行して搬送されることが抑制され、搬送対象物を適切に搬送することができる。
【０００９】
この場合、待機時間に対応した待機時間情報を書換え可能に記憶する記憶部、をさらに備えたことが好ましい。
【００１０】
この構成によれば、所望の待機時間を設定し、設定された待機時間に対応した待機時間情報を記憶部に記憶させることができる。これにより、所望の待機時間に達した後に、搬送対象物の搬送を開始させることができる。
【００１１】
この場合、制御部は、指示後経過時間が待機時間に達した時点で、搬送対象物が手差しされている場合に、搬送部に搬送対象物の搬送を開始させ、搬送対象物が手差しされていない場合に、搬送部に搬送対象物の搬送を開始させないことが好ましい。
【００１２】
この構成によれば、指示後経過時間が待機時間に達した時点で、搬送対象物が手差しされていない場合に、搬送部を無駄に動作させることを抑制することができる。
【００１３】
この場合、制御部は、搬送対象物のサイズを特定可能なサイズ情報を取得し、取得されたサイズ情報に基づいて、搬送対象物のサイズが基準サイズよりも小さいか否かを判断し、搬送対象物のサイズが基準サイズよりも小さいと判断した場合に、指示後経過時間が待機時間に達する前に搬送対象物の搬送を開始するように、搬送部を制御することが好ましい。
【００１４】
この構成によれば、搬送対象物のサイズが基準サイズよりも小さい場合には、搬送対象物のサイズが基準サイズ以上である場合に比べ、搬送対象物の搬送が速やかに開始される。このため、ユーザーにより搬送対象物が保持されていない状態で搬送対象物の搬送が開始されても、搬送対象物のサイズが小さくて搬送対象物が斜行して搬送されるおそれが少ない場合には、搬送開始指示から搬送開始までに要する時間を短縮することを優先して、搬送対象物の搬送を行うことができる。
【００１５】
この場合、制御部は、搬送方向における搬送対象物の長さを搬送対象物のサイズとし、基準長さを基準サイズとして、搬送対象物のサイズが基準サイズよりも小さいか否かの判断を行うことが好ましい。
【００１６】
この構成によれば、搬送対象物の搬送に影響の大きい搬送対象物の長さに基づいて、搬送対象物のサイズが基準サイズよりも小さいか否かを判断することができる。
【００１７】
この場合、制御部は、指示後経過時間が待機時間に達するまでの残存時間と、指示後経過時間と、の少なくとも一方を報知させることが好ましい。
【００１８】
この構成によれば、搬送部により搬送対象物の搬送が開始されるまでに残された時間を、ユーザーに認識させることができる。
【００１９】
この場合、制御部は、指示後経過時間が待機時間に達するまでの間に、延長指示が取得された場合に、待機時間を延長することが好ましい。
【００２０】
この構成によれば、搬送対象物の搬送が開始されるタイミングを遅らせることができる。その結果、例えば、指示後経過時間が待機時間に迫った時点で、ユーザーが搬送対象物を手差しできていない場合に、搬送対象物を手差しするための時間を稼ぐことができる。
【００２１】
この場合、制御部は、指示後経過時間が待機時間に達するまでの間に、待機中止指示が取得された場合に、指示後経過時間が待機時間に達するのを待たずに、搬送部に搬送対象物の搬送を開始させることが好ましい。
【００２２】
この構成によれば、搬送対象物の搬送が開始されるタイミングを早めることができる。その結果、例えば、指示後経過時間が待機時間に達するまでにかなりの時間がある時点で、ユーザーが搬送対象物を手差しできた場合に、搬送対象物の搬送が開始されるまでの待ち時間を短縮することができる。
【００２３】
この場合、搬送された搬送対象物から画像データを読み取る読取部、をさらに備えたことが好ましい。
【００２４】
この構成によれば、搬送対象物が適切に搬送されるため、搬送対象物から画像データを適切に読み取ることができる。
【００２５】
本発明の画像データ生産方法は、計時部が、搬送開始指示が取得されてから経過した指示後経過時間を計時するステップと、搬送部が、計時された指示後経過時間が待機時間に達した後に、手差しされた搬送対象物の搬送を開始するステップと、読取部が、搬送された搬送対象物から画像データを読み取るステップと、を実行することを特徴とする。
【００２６】
この構成によれば、搬送対象物が適切に搬送されるため、搬送対象物から画像データを適切に読み取ることができる。
【図面の簡単な説明】
【００２７】
【図１】本発明の一実施形態に係る複合機の概略構成を示す図である。
【図２】複合機の制御構成を示すブロック図である。
【図３】スキャンメイン画面を示す図である。
【図４】タイマー設定画面を示す図である。
【図５】他項目設定画面を示す図である。
【図６】スキャン待機中画面を示す図である。
【図７】スキャン動作中画面を示す図である。
【図８】スキャン処理を示すフローチャートである。
【図９】スキャン動作制御処理を示すフローチャートである。
【発明を実施するための形態】
【００２８】
図１に基づいて、本発明の搬送装置の一実施形態である複合機Ａの概略構成について説明する。本実施形態の複合機Ａは、家庭やオフィス等で一般に用いられる複合機に比べて大型のものであり、例えばＡ０判やＢ０判といった大判の原稿Ｂから画像データを読み取り、また、大判の印刷媒体Ｃに対して印刷を行うものである。複合機Ａは、支持脚１と、操作パネル２と、読取機構３と、印刷機構４とを備えている。なお、複合機Ａは、図１では図示省略したが、コントローラー５（図２参照）等をさらに備えている。
【００２９】
操作パネル２は、ユーザーに対して情報を出力し、また、ユーザーからの操作を受け付けるユーザーインターフェースとして機能する。
【００３０】
読取機構３は、手差しされた原稿Ｂから画像データを読み取るスキャン動作を行う。読取機構３は、原稿台３１と、搬送部３２と、読取部３３と、原稿検出部３４とを備えている。
【００３１】
原稿台３１には、原稿Ｂが手差しによりセットされる。原稿Ｂのサイズ（以下「原稿サイズ」という。）は、特に限定されるものではないが、Ａ０判やＢ０判のように、かなり大判の原稿Ｂの場合や、原稿の幅はＡ４判のように小さくても、原稿の長さがかなり長い長尺紙の場合には、複数のユーザーによって原稿Ｂの手差し作業が行われる。
【００３２】
搬送部３２は、原稿台３１に手差しされた原稿Ｂを搬送し、排紙口３５から原稿Ｂを排出する。搬送部３２は、給紙ローラー３２１と、搬送ローラー対３２２と、搬送モーター３２３（図２参照）とを備えている。給紙ローラー３２１は、原稿台３１に対して離接可能に設けられている。給紙ローラー３２１は、スキャン動作が行われていない間は、原稿台３１から離れた位置にあるが、スキャン動作が開始されると、原稿台３１に向かって移動し、原稿台３１との間で原稿Ｂを挟持して原稿Ｂを搬送する。搬送ローラー対３２２は、給紙ローラー３２１から送られてきた原稿Ｂを排紙口３５に向けて搬送する。搬送モーター３２３は、給紙ローラー３２１および搬送ローラー対３２２を回転させる駆動源である。
【００３３】
読取部３３は、搬送されてきた原稿Ｂから画像データを読み取る。読取部３３は、光源３３１およびイメージセンサー３３２（図２参照）を備えている。光源３３１は、搬送されてきた原稿Ｂの読取り面に対し、光を照射する。イメージセンサー３３２は、原稿Ｂからの反射光を検出し、検出された光量に応じた電気信号を出力する。読取部３３は、出力された電気信号を図示しない変換回路によりデジタル信号に変換することにより、画像データを取得する。読取部３３により原稿Ｂから読み取られた画像データは、コントローラー５を介して外部に出力される。
【００３４】
原稿検出部３４は、原稿台３１に原稿Ｂが手差しされたか否かを検出する。原稿検出部３４としては、例えば、フォトインターラプター或いはマイクロスイッチを用いることができる。原稿検出部３４の検出信号は、コントローラー５に出力される。
【００３５】
印刷機構４は、ロール・ツー・ロール方式で送られる印刷媒体Ｃに対して、例えばコンピューターＰＣ（図２参照）からコントローラー５を介して受信した印刷データに基づいて、印刷を行う。印刷機構４は、繰出し部４１と、送り部４２と、巻取り部４３と、印刷部４４とを備えている。繰出し部４１は、印刷媒体Ｃがロール状に巻かれたロール体Ｒから印刷媒体Ｃを繰り出す。送り部４２は、繰出し部４１から繰り出された印刷媒体Ｃを、巻取り部４３に向けて送る。巻取り部４３は、送られてきた印刷媒体Ｃをロール状に巻き取る。印刷部４４は、繰出し部４１から巻取り部４３へ送られる印刷媒体Ｃに対し、例えばインクジェット方式により、印刷を行う。
【００３６】
図２に基づいて、複合機Ａの制御構成について説明する。複合機Ａは、上記の操作パネル２、読取機構３および印刷機構４に加え、コントローラー５と、ストレージ６と、媒体インターフェース７と、通信インターフェース８と、タイマー９とを備えている。なお、図２では、印刷機構４が省略されている。
【００３７】
操作パネル２は、タッチパネル２１および操作ボタン２２を備えている。タッチパネル２１は、ユーザーに対し、選択肢、メッセージ等を表示し、また、タッチパネル２１に対するタッチ位置を検出する。操作ボタン２２には、例えば、複合機Ａの電源をＯＮ／ＯＦＦ切替えるための電源ボタン、数字を入力するための数字ボタンなどが含まれる。タッチパネル２１の検出信号および操作ボタン２２の検出信号は、コントローラー５に出力される。
【００３８】
コントローラー５には、タッチパネル２１の検出信号、操作ボタン２２の検出信号、原稿検出部３４の検出信号、イメージセンサー３３２により読み取られた画像データ等が入力される。また、コントローラー５は、タッチパネル２１、搬送モーター３２３および光源３３１等を駆動するドライバー回路（図示省略）に対し、制御信号を出力する。さらに、コントローラー５は、コンピューターＰＣとの間で、各種コマンドおよび印刷データや画像データを含むデータを送受信する。なお、コンピューターＰＣとしては、例えば、パソコン或いはスマートフォンを用いることができる。コントローラー５は、ＣＰＵ５１（Central Processing Unit）と、ＲＯＭ５２（Read Only Memory）と、ＲＡＭ５３（Random Access Memory）とを備えている。
【００３９】
ストレージ６には、プログラムおよびデータが格納される。ストレージ６としては、例えば、ハードディスクドライブを用いることができる。媒体インターフェース７は、外部記憶媒体である記憶媒体Ｍとのインターフェースである。なお、記憶媒体Ｍとしては、例えば、ＵＳＢメモリー等のフラッシュメモリーを用いることができる。通信インターフェース８は、複合機ＡをコンピューターＰＣと直接或いはＬＡＮ（Local Area Network）等のネットワークを介して通信可能に接続するためのインターフェースである。タイマー９は、時刻を計時する。
【００４０】
図３ないし図７に基づいて、スキャン動作に関してタッチパネル２１が表示する画面について説明する。タッチパネル２１は、それぞれの画面において、１画面で全てのボタンを表示してもよいが、複数画面にわたってボタンが表示され、スクロールされることで、全てのボタンが表示されるようになってもよい。
【００４１】
操作パネル２に対して所定の操作が行われ、スキャンモードに入ると、タッチパネル２１は、図３に示すように、スキャンメイン画面Ｄ１を表示する。スキャンメイン画面Ｄ１には、複数の設定ボタンと、スキャン開始ボタンＤ１ｄとが表示される。複数の設定ボタンには、スキャン先設定ボタンＤ１ａ、タイマー設定ボタンＤ１ｂおよび他項目設定ボタンＤ１ｃが含まれる。
【００４２】
スキャンメイン画面Ｄ１に表示されたスキャン先設定ボタンＤ１ａに対するタッチ操作が検出されると、タッチパネル２１は、スキャン先設定画面（図示省略）を表示する。スキャン先設定画面は、スキャン先、すなわち、スキャン動作により原稿Ｂから読み取られた画像データが送信される送信先、を設定するための画面である。スキャン先設定画面には、複数のスキャン先候補が選択可能に表示される。スキャン先候補には、例えば、ストレージ６、記憶媒体Ｍ、コンピューターＰＣなどが含まれる。コントローラー５は、スキャン先候補に対するタッチ操作の検出に基づいて、スキャン先を設定する。スキャン先設定画面において、スキャン先が設定されると、タッチパネル２１は、スキャンメイン画面Ｄ１を再び表示する。
【００４３】
スキャンメイン画面Ｄ１に表示されたタイマー設定ボタンＤ１ｂに対するタッチ操作が検出されると、タッチパネル２１は、図４に示すように、タイマー設定画面Ｄ２を表示する。タイマー設定画面Ｄ２は、待機時間を設定するための画面である。ここで、待機時間とは、スキャン開始ボタンＤ１ｄに対するタッチ操作の検出に基づいてコントローラー５によりスキャン開始指示が取得されてから、読取機構３がスキャン動作を開始するまでの時間、すなわち、搬送部３２が原稿Ｂの搬送を開始するまでの時間、を意味する。タイマー設定画面Ｄ２には、一或いは複数の所定時間設定ボタンＤ２ａと、任意時間設定ボタンＤ２ｂと、不図示のタイマー設定解除ボタンとが表示される。
【００４４】
所定時間設定ボタンＤ２ａは、待機時間を、所定の時間（例えば、１０秒間）に設定するためのボタンである。コントローラー５は、タイマー設定画面Ｄ２に表示された所定時間設定ボタンＤ２ａに対するタッチ操作の検出に基づいて、待機時間を設定する。
【００４５】
任意時間設定ボタンＤ２ｂは、待機時間を、任意の時間に設定するためのボタンである。タイマー設定画面Ｄ２に表示された任意時間設定ボタンＤ２ｂに対するタッチ操作が検出されると、タッチパネル２１は、任意の時間の入力を受け付ける時間入力欄（図示省略）を表示する。コントローラー５は、時間入力欄に対する入力に基づいて、待機時間を設定する。タイマー設定解除ボタンは、待機を行わないようにする、或いは、すでに設定された待機時間を０にする、ためのボタンである。
【００４６】
このように、ユーザーは、所定時間設定ボタンＤ２ａ或いは任意時間設定ボタンＤ２ｂに対するタッチ操作を行うことで、所望の待機時間に設定することができる。タイマー設定画面Ｄ２において、待機時間が設定されると、タッチパネル２１は、スキャンメイン画面Ｄ１を再び表示する。スキャンメイン画面Ｄ１では、タイマー設定ボタンＤ１ｂ内に、設定された待機時間が表示される。
【００４７】
スキャンメイン画面Ｄ１に表示された他項目設定ボタンＤ１ｃに対するタッチ操作が検出されると、タッチパネル２１は、図５に示すように、他項目設定画面Ｄ３を表示する。他項目設定画面Ｄ３は、スキャン動作に関し、スキャン先および待機時間以外の設定項目（例えば、原稿サイズ）について設定を行うための画面である。他項目設定画面Ｄ３では、原稿サイズタブＤ３ｃを含む複数のタブにより表示切替え可能となっている。他項目設定画面Ｄ３に表示された原稿サイズタブＤ３ｃに対するタッチ操作が検出されると、他項目設定画面Ｄ３には、一或いは複数の所定サイズ設定ボタンＤ３ａと、任意サイズ設定ボタンＤ３ｂとが表示される。
【００４８】
所定サイズ設定ボタンＤ３ａは、スキャン範囲の基礎となる原稿サイズを、所定のサイズ（例えば、「縦１１８９ｍｍ×横８４１ｍｍ」）に設定するためのボタンである。すなわち、コントローラー５は、他項目設定画面Ｄ３に表示された所定サイズ設定ボタンＤ３ａに対するタッチ操作の検出に基づいて、サイズ情報（例えば「Ａ０縦」）を取得する。ここで、サイズ情報とは、原稿サイズを特定可能なものである。コントローラー５は、例えばＲＯＭ５２に記憶された原稿サイズテーブルを参照し、取得されたサイズ情報と関連付けられた原稿サイズ（例えば「縦１１８９ｍｍ×横８４１ｍｍ」）を設定する。なお、ここでは、原稿サイズの「縦」の数値が、搬送方向における原稿Ｂの長さに相当するが、原稿サイズの「横」の数値が、搬送方向における原稿Ｂの長さに相当する構成であってもよい。
【００４９】
任意サイズ設定ボタンＤ３ｂは、原稿サイズを、任意のサイズに設定するためのボタンである。他項目設定画面Ｄ３に表示された任意サイズ設定ボタンＤ３ｂに対するタッチ操作が検出されると、タッチパネル２１は、原稿サイズの縦寸法および横寸法の入力を受け付けるサイズ入力欄（図示省略）を表示する。コントローラー５は、サイズ入力欄に対する入力に基づいて、サイズ情報（例えば「縦１５００ｍｍ×横１０００ｍｍ」）を取得する。コントローラー５は、取得されたサイズ情報を、そのまま原稿サイズとして設定する。
【００５０】
他項目設定画面Ｄ３において、原稿サイズが設定されると、タッチパネル２１は、スキャンメイン画面Ｄ１を再び表示する。
【００５１】
スキャン開始ボタンＤ１ｄは、スキャン動作を開始するためのボタンである。すなわち、スキャンメイン画面Ｄ１に表示されたスキャン開始ボタンＤ１ｄに対するタッチ操作に基づいて、タッチパネル２１から検出信号が出力されると、コントローラー５は、その検出信号をスキャン開始指示として取得する。そして、タイマー設定がされていない場合には、コントローラー５は、読取機構３にスキャン動作を開始させる。一方、タイマー設定がされている場合には、コントローラー５は、タイマー設定で設定された時間だけ待機を行ってから読取機構３にスキャン動作を開始させる。待機をしているとき、タッチパネル２１は、図６に示すように、スキャン待機中画面Ｄ４を表示する。スキャン待機中画面Ｄ４には、残存時間表示Ｄ４ａと、待機中メッセージＤ４ｂと、時間追加ボタンＤ４ｃと、待機中止ボタンＤ４ｄとが表示される。
【００５２】
残存時間表示Ｄ４ａは、コントローラー５によりスキャン開始指示が取得されてから経過した指示後経過時間が、タイマー設定画面Ｄ２において設定された待機時間に達するまでの残存時間を、時間の経過と共に減少する数字で示す。
【００５３】
待機中メッセージＤ４ｂには、原稿台３１に原稿Ｂをセット（手差し）することをユーザーに促す文言と共に、スキャン動作が開始されるまでの時間を示す数字が含まれる。
【００５４】
時間追加ボタンＤ４ｃは、タイマー設定画面Ｄ２において設定された待機時間に、所定の時間（例えば１０秒間）を追加するためのボタンである。すなわち、スキャン待機中画面Ｄ４に表示された時間追加ボタンＤ４ｃに対するタッチ操作に基づいて、タッチパネル２１から検出信号が出力されると、コントローラー５は、その検出信号を延長指示として取得する。そして、コントローラー５は、タイマー設定画面Ｄ２において設定された待機時間に所定の時間を追加する。これは、スキャン動作が開始されるまでの残り時間に所定の時間を追加すると解釈することもできる。
【００５５】
待機中止ボタンＤ４ｄは、スキャン動作の待機中にスキャン動作を即座に開始するためのボタンである。すなわち、スキャン待機中画面Ｄ４に表示された待機中止ボタンＤ４ｄに対するタッチ操作に基づいて、タッチパネル２１から検出信号が出力されると、コントローラー５は、その検出信号を待機中止指示として取得する。そして、コントローラー５は、指示後経過時間が待機時間に達するのを待たずに、スキャン動作を開始させる。
【００５６】
指示後経過時間が待機時間に達すると、読取機構３は、スキャン動作を開始する。このとき、タッチパネル２１は、図７に示すように、スキャン動作中画面Ｄ５を表示する。スキャン動作中画面Ｄ５には、スキャン動作中メッセージＤ５ａと、停止ボタンＤ５ｂとが表示される。停止ボタンＤ５ｂは、スキャン動作を停止するためのボタンである。すなわち、スキャン動作中画面Ｄ５に表示された停止ボタンＤ５ｂに対するタッチ操作が検出されると、コントローラー５は、搬送モーター３２３等を制御し、スキャン動作を停止させる。
【００５７】
スキャン動作が終了すると、複合機Ａは、スキャン先設定画面において設定されたスキャン先へ、原稿Ｂから読み取られた画像データを送信する。
【００５８】
図８に基づいて、スキャン動作に関してコントローラー５が実行するスキャン処理について説明する。コントローラー５は、ＣＰＵ５１が、ＲＯＭ５２或いはストレージ６に記憶されたスキャンプログラムをＲＡＭ５３を用いて実行することにより、スキャン処理を実行する。
【００５９】
操作パネル２に対するスキャンモードへの移行を指示する操作が検出されると、コントローラー５は、スキャン処理を開始する。
【００６０】
ステップＳ１では、コントローラー５は、タッチパネル２１にスキャンメイン画面Ｄ１を表示させる。
【００６１】
ステップＳ２では、コントローラー５は、スキャンメイン画面Ｄ１に表示されたスキャン先設定ボタンＤ１ａに対するタッチ操作が検出されたか否かを判断する。コントローラー５が、スキャン先設定ボタンＤ１ａに対するタッチ操作が検出されたと判断した場合（Ｓ２；Ｙｅｓ）、ステップＳ３に進む。
【００６２】
ステップＳ３では、コントローラー５は、タッチパネル２１にスキャン先設定画面を表示させる。
【００６３】
ステップＳ４では、コントローラー５は、スキャン先設定画面に表示されたスキャン先候補に対するタッチ操作の検出に基づいて、スキャン先を設定し、ステップＳ１に戻る。
【００６４】
一方、ステップＳ２において、コントローラー５が、スキャン先設定ボタンＤ１ａに対するタッチ操作が検出されていないと判断した場合（Ｓ２；Ｎｏ）、ステップＳ５に進む。
【００６５】
ステップＳ５では、コントローラー５は、スキャンメイン画面Ｄ１に表示されたタイマー設定ボタンＤ１ｂに対するタッチ操作が検出されたか否かを判断する。コントローラー５が、タイマー設定ボタンＤ１ｂに対するタッチ操作が検出されたと判断した場合（Ｓ５；Ｙｅｓ）、ステップＳ６に進む。
【００６６】
ステップＳ６では、コントローラー５は、タッチパネル２１にタイマー設定画面Ｄ２を表示させる。
【００６７】
ステップＳ７では、コントローラー５は、タイマー設定画面Ｄ２に表示された所定時間設定ボタンＤ２ａに対するタッチ操作の検出、タイマー設定画面Ｄ２に表示された時間入力欄に対する入力、或いは、タイマー設定解除ボタンに対するタッチ操作の検出、に基づいて、待機時間を設定する。コントローラー５は、設定された待機時間に対応した待機時間情報を、例えばＲＡＭ５３に記憶させ、ステップＳ１に戻る。
【００６８】
このように、コントローラー５は、ユーザー所望の待機時間を設定し、設定された待機時間に対応した待機時間情報をＲＡＭ５３に書き換え可能に記憶させることができる。これにより、所望の待機時間に達した後に、原稿Ｂの搬送を開始させることができる。
【００６９】
一方、ステップＳ５において、コントローラー５が、タイマー設定ボタンＤ１ｂに対するタッチ操作が検出されていないと判断した場合（Ｓ５；Ｎｏ）、ステップＳ８に進む。
【００７０】
ステップＳ８では、コントローラー５は、スキャンメイン画面Ｄ１に表示された他項目設定ボタンＤ１ｃに対するタッチ操作が検出されたか否かを判断する。コントローラー５が、他項目設定ボタンＤ１ｃに対するタッチ操作が検出されたと判断した場合（Ｓ８；Ｙｅｓ）、ステップＳ９に進む。
【００７１】
ステップＳ９では、コントローラー５は、タッチパネル２１に他項目設定画面Ｄ３を表示させる。
【００７２】
ステップＳ１０では、コントローラー５は、例えば、他項目設定画面Ｄ３に表示された所定サイズ設定ボタンＤ３ａに対するタッチ操作の検出、或いは、他項目設定画面Ｄ３に表示されたサイズ入力欄に対する入力、に基づいて、サイズ情報を取得する。コントローラー５は、取得されたサイズ情報に基づいて原稿サイズを設定し、ステップＳ１に戻る。
【００７３】
一方、ステップＳ８において、コントローラー５が、他項目設定ボタンＤ１ｃに対するタッチ操作が検出されていないと判断した場合（Ｓ８；Ｎｏ）、ステップＳ１１に進む。
【００７４】
ステップＳ１１では、コントローラー５が、スキャンメイン画面Ｄ１に表示されたスキャン開始ボタンＤ１ｄに対するタッチ操作が検出されたか否かを判断する。コントローラー５が、スキャン開始ボタンＤ１ｄに対するタッチ操作が検出されたと判断した場合（Ｓ１１；Ｙｅｓ）、そのタッチ操作の検出信号をスキャン開始指示として取得し、ステップＳ１２に進む。
【００７５】
ステップＳ１２では、コントローラー５は、後述するスキャン動作制御処理を実行し、ステップＳ１に戻る。
【００７６】
一方、ステップＳ１１において、コントローラー５が、スキャン開始ボタンＤ１ｄに対するタッチ操作が検出されていないと判断した場合（Ｓ１１；Ｎｏ）、ステップＳ１に戻る。
【００７７】
なお、タイマー設定ボタンＤ１ｂに対するタッチ操作が検出されることなく、スキャン開始ボタンＤ１ｄに対するタッチ操作が検出された場合、コントローラー５は、待機時間としてデフォルト値（例えば、待機しないことを意味する０秒）を設定してもよい。或いは、タイマー設定ボタンＤ１ｂを操作するようにユーザーに促すメッセージをタッチパネル２１に表示させてもよい。スキャン先設定ボタンＤ１ａ或いは他項目設定ボタンＤ１ｃに対するタッチ操作が検出されることなく、スキャン開始ボタンＤ１ｄに対するタッチ操作が検出された場合も、同様である。
【００７８】
図９に基づいて、コントローラー５がステップＳ１２において実行するスキャン動作制御処理について説明する。コントローラー５は、上記のスキャンプログラムに含まれるスキャン動作制御プログラムを、ＣＰＵ５１がＲＡＭ５３を用いて実行することにより、スキャン動作制御処理を実行する。
【００７９】
ステップＳ１０１では、コントローラー５は、指示後経過時間、すなわちスキャン開始ボタンＤ１ｄに対するタッチ操作が検出されてから経過した時間、をタイマー９に計時させる。
【００８０】
ステップＳ１０２では、コントローラー５は、ステップＳ１０１と並行して、タッチパネル２１にスキャン待機中画面Ｄ４を表示させる。スキャン待機中画面Ｄ４には、上述したように、残存時間表示Ｄ４ａが表示される。この残存時間表示Ｄ４ａは、設定されている待機時間からタイマー９が計時している指示後経過時間を引いた時間を表示している。このため、搬送部３２により原稿Ｂの搬送が開始されるまでに残された時間を、ユーザーに認識させることができる。換言すれば、ユーザーは、残存時間表示Ｄ４ａを見ることで、残りどれくらいの時間で（残り何秒で）原稿Ｂを手差ししなければならないかを、把握することができる。
【００８１】
ステップＳ１０３では、コントローラー５は、ステップＳ１０にて取得されたサイズ情報に基づいて設定された原稿サイズが、基準サイズよりも小さいか否かを判断する。より具体的には、コントローラー５は、原稿サイズの縦寸法、すなわち搬送方向における原稿Ｂの長さを、原稿サイズとし、基準長さを基準サイズとして、原稿サイズが基準サイズよりも小さいか否かを判断する。この基準長さは、例えば、原稿Ｂがユーザーにより保持されていない状態で搬送開始された場合にも、原稿台３１により原稿Ｂが安定的に支持される原稿Ｂの最大長さ、すなわち、原稿Ｂが斜行するおそれの少ない原稿Ｂの最大長さ、を予め実験等により求め、ＲＯＭ５２等に記憶したものである。
【００８２】
コントローラー５が、原稿サイズが基準サイズよりも小さいと判断した場合（Ｓ１０３；Ｙｅｓ）、ステップＳ１１０およびステップＳ１１１に進む。
【００８３】
一方、ステップＳ１０３において、コントローラー５が、原稿サイズが基準サイズよりも小さくないと判断した場合（Ｓ１０３；Ｎｏ）、ステップＳ１０４に進む。
【００８４】
ステップＳ１０４では、コントローラー５は、スキャン待機中画面Ｄ４に表示された時間追加ボタンＤ４ｃに対するタッチ操作が検出されたか否かを判断する。コントローラー５が、時間追加ボタンＤ４ｃに対するタッチ操作が検出されたと判断した場合（Ｓ１０４；Ｙｅｓ）、そのタッチ操作に基づく検出信号を延長指示として取得し、ステップＳ１０５に進む。
【００８５】
ステップＳ１０５では、コントローラー５は、ステップＳ７にて設定された待機時間に所定の時間（本実施例では１０秒）を追加し、待機時間を延長する。また、コントローラー５は、ＲＡＭ５３に記憶された待機時間情報を書き換え、ステップＳ１０６に進む。
【００８６】
一方、ステップＳ１０４において、コントローラー５が、時間追加ボタンＤ４ｃに対するタッチ操作が検出されていないと判断した場合（Ｓ１０４；Ｎｏ）ステップＳ１０６に進む。
【００８７】
ステップＳ１０６では、コントローラー５は、スキャン待機中画面Ｄ４に表示された待機中止ボタンＤ４ｄに対するタッチ操作が検出されたか否かを判断する。コントローラー５が、待機中止ボタンＤ４ｄに対するタッチ操作が検出されたと判断した場合（Ｓ１０６；Ｙｅｓ）、そのタッチ操作の検出信号を待機中止指示として取得し、ステップＳ１０８に進む。
【００８８】
一方、ステップＳ１０６において、コントローラー５が、待機中止ボタンＤ４ｄに対するタッチ操作が検出されていないと判断した場合（Ｓ１０６；Ｎｏ）、ステップＳ１０７に進む。
【００８９】
ステップＳ１０７では、コントローラー５は、ステップＳ１０１にてタイマー９により計時開始された指示後経過時間が、待機時間に達したか否かを判断する。コントローラー５が、指示後経時時間が待機時間に達していないと判断した場合（Ｓ１０７；Ｎｏ）、ステップＳ１０４に戻る。
【００９０】
一方、ステップＳ１０７において、コントローラー５が、指示後経過時間が待機時間に達したと判断した場合（Ｓ１０７；Ｙｅｓ）、ステップＳ１０８に進む。
【００９１】
ステップＳ１０８では、コントローラー５は、原稿検出部３４の検出信号に基づいて、原稿Ｂが手差しされたか否かを判断する。コントローラー５が、原稿Ｂが手差しされていないと判断した場合（Ｓ１０８；Ｎｏ）、ステップＳ１０９に進む。
【００９２】
ステップＳ１０９では、コントローラー５は、タッチパネル２１に原稿Ｂが手差しされていない旨のメッセージを表示させた後、ステップＳ１２を終了し、ステップＳ１に戻る。
【００９３】
一方、ステップＳ１０８において、コントローラー５が、原稿Ｂが手差しされたと判断した場合（Ｓ１０８；Ｙｅｓ）、ステップＳ１１０およびステップＳ１１１に進む。
【００９４】
ステップＳ１１０では、コントローラー５は、読取機構３にスキャン動作を開始させる。すなわち、コントローラー５は、給紙ローラー３２１を原稿台３１に向かって移動を開始させ、原稿台３１との間で原稿Ｂを挟持して、原稿Ｂを搬送させる。そして、読取機構３は搬送されてきた原稿Ｂを読み取って画像データを生成する。その後、生成した画像データを設定されているスキャン先に出力する。なお、ここでは、給紙ローラー３２１の移動を開始させてから、生成した画像データの出力が終了するまでをスキャン動作としている。
【００９５】
ステップＳ１１１では、コントローラー５は、ステップＳ１１０と並行して、タッチパネル２１にスキャン動作中画面Ｄ５を表示させる。
【００９６】
ステップＳ１１２では、コントローラー５は、スキャン動作中画面Ｄ５に表示された停止ボタンＤ５ｂに対するタッチ操作が検出されたか否かを判断する。コントローラー５が、停止ボタンＤ５ｂに対するタッチ操作が検出されたと判断した場合（Ｓ１１２；Ｙｅｓ）、ステップＳ１１３に進む。
【００９７】
ステップＳ１１３では、コントローラー５は、スキャン動作を停止させる。
【００９８】
一方、ステップＳ１１２において、コントローラー５が、停止ボタンＤ５ｂに対するタッチ操作が検出されていないと判断した場合（Ｓ１１２；Ｎｏ）、ステップＳ１１４に進む。
【００９９】
ステップＳ１１４では、コントローラー５は、スキャン動作が終了したか否かを判断する。コントローラー５が、スキャン動作が終了していないと判断した場合（Ｓ１１４；Ｎｏ）、ステップＳ１１２に戻る。
【０１００】
一方、ステップＳ１１４において、コントローラー５が、スキャン動作が終了したと判断した場合（Ｓ１１４；Ｙｅｓ）、又は、ステップＳ１１３において、スキャン動作を停止させた場合、図８に示したスキャン処理のステップＳ１に戻る。
【０１０１】
このように、コントローラー５は、ステップＳ１０３において、原稿サイズが基準サイズよりも小さいと判断した場合に、ステップＳ１０７をスキップし、指示後経過時間が待機時間に達したか否かの判断を行うことなく、ステップＳ１１０において、読取機構３にスキャン動作を開始させる。その結果、指示後経過時間が待機時間に達する前にスキャン動作が開始される。この場合、ユーザーは、スキャン開始ボタンＤ１ｄに対するタッチ操作を行う前に、原稿Ｂを手差ししておくことが好ましい。
【０１０２】
すなわち、コントローラー５は、原稿サイズを特定可能なサイズ情報を取得し、取得されたサイズ情報に基づいて、原稿サイズが基準サイズよりも小さいか否かを判断する。コントローラー５は、原稿サイズが基準サイズよりも小さいと判断した場合に、指示後経過時間が待機時間に達する前にスキャン動作を開始するように、読取機構３を制御する。これにより、原稿サイズが基準サイズよりも小さい場合には、原稿サイズが基準サイズ以上である場合に比べ、原稿Ｂの搬送が速やかに開始される。このため、ユーザーにより原稿Ｂが保持されていない状態で原稿Ｂの搬送が開始されても、原稿サイズが小さくて原稿Ｂが斜行して搬送されるおそれが少ない場合には、スキャン開始指示からスキャン開始までに要する時間を短縮することを優先して、原稿Ｂの搬送を行うことができる。
【０１０３】
また、コントローラー５は、ステップＳ１０４において、時間追加ボタンＤ４ｃに対するタッチ操作が検出されたと判断した場合に、待機時間を延長する。すなわち、コントローラー５は、指示後経過時間が待機時間に達するまでの間に延長指示が取得された場合に、待機時間を延長する。これにより、原稿Ｂの搬送が開始されるタイミングを遅らせることができる。その結果、例えば、指示後経過時間が待機時間に迫った時点で、ユーザーが原稿Ｂを手差しできていない場合に、原稿Ｂを手差しするための時間を稼ぐことができる。
【０１０４】
また、コントローラー５は、ステップＳ１０６において、待機中止ボタンＤ４ｄに対するタッチ操作が検出されたと判断した場合に、ステップＳ１０７をスキップし、指示後経過時間が待機時間に達したか否かの判断を行うことなく、ステップＳ１１０において、読取機構３にスキャン動作を開始させる。その結果、指示後経過時間が待機時間に達する前にスキャン動作が開始される。
【０１０５】
すなわち、コントローラー５は、指示後経過時間が待機時間に達するまでの間に待機中止指示が取得された場合に、指示後経過時間が待機時間に達するのを待たずに、読取機構３にスキャン動作を開始させる。これにより、原稿Ｂの搬送が開始されるタイミングを早めることができる。その結果、例えば、指示後経過時間が待機時間に達するまでにかなりの時間がある時点で、ユーザーが原稿Ｂを手差しできた場合に、原稿Ｂの搬送が開始されるまでの待ち時間を短縮することができる。
【０１０６】
また、コントローラー５は、ステップＳ１０８において、原稿Ｂが手差しされていないと判断した場合に、スキャン動作を開始させることなく、原稿Ｂの手差しを促すメッセージをタッチパネル２１に表示させる。
【０１０７】
すなわち、コントローラー５は、指示後経過時間が待機時間に達した時点で、原稿Ｂが手差しされている場合に、読取機構３にスキャン動作を開始させ、原稿Ｂが手差しされていない場合に、読取機構３にスキャン動作を開始させない。これにより、指示後経過時間が待機時間に達した時点で、原稿Ｂが手差しされていない場合に、読取機構３を無駄に動作させることを抑制することができる。
【０１０８】
以上のように、本実施形態の複合機Ａは、搬送部３２と、タイマー９と、コントローラー５とを備えている。搬送部３２は、手差しされた原稿Ｂを搬送する。タイマー９は、指示後経過時間、すなわち搬送開始指示が取得されてから経過した時間、を計時する。コントローラー５は、計時された指示語経時時間が待機時間に達した後に、読取機構３にスキャン動作を開始させ、搬送部３２に原稿Ｂの搬送を開始させる。
【０１０９】
また、スキャン動作制御プログラムは、ＣＰＵ５１に、以下のステップを実行させる。
指示後経過時間をタイマー９に計時させるステップ。
計時された指示後経過時間が待機時間に達した後に、読取機構３にスキャン動作を開始させ、搬送部３２に手差しされた原稿Ｂの搬送を開始させるステップ。
【０１１０】
これらの構成によれば、搬送開始指示が取得されてから経過した指示後経過時間が待機時間に達した後に、原稿Ｂの搬送が開始される。これにより、ユーザーが、搬送開始指示のための操作、すなわちスキャン開始ボタンＤ１ｄに対するタッチ操作、を行った後、指示後経過時間が待機時間に達するまでの間に、原稿Ｂを手差しすることが可能となる。このため、ユーザーにより原稿Ｂが保持された状態で、原稿Ｂの搬送が開始される。換言すれば、ユーザーは、スキャン開始ボタンＤ１ｄのタッチ操作等のパネル操作を事前に終えているため、原稿Ｂを手で保持したまま原稿Ｂの搬送開始に備えることができる。したがって、原稿Ｂが斜行して搬送されることが抑制され、原稿Ｂを適切に搬送することができる。
特に、原稿サイズが大きい場合には、原稿台３１だけでは原稿Ｂが適切に支持されないおそれがあるため、本発明が特に有効である。なお、ユーザーは、原稿Ｂを手差しした後に、搬送開始指示のための操作を行ってもよく、この場合も、指示後経過時間が待機時間に達するまでの間に、ユーザーにより原稿Ｂが再び保持される。
【０１１１】
また、複合機Ａによる画像データ生産方法は、以下のステップを実行する。
タイマー９が、指示後経過時間を計時するステップ。
読取機構３が、計時された指示後経過時間が待機時間に達した後に、スキャン動作を開始し、手差しされた原稿Ｂの搬送を開始するステップ。
読取部３３が、搬送された原稿Ｂから画像データを読み取るステップ。
【０１１２】
この構成によれば、原稿Ｂが適切に搬送されるため、原稿Ｂから画像データを適切に読み取ることができる。
【０１１３】
なお、コントローラー５は、「制御部」の一例である。タイマー９は、「計時部」の一例である。ＣＰＵ５１は、「プロセッサー」の一例である。ＲＡＭ５３は、「記憶部」の一例である。スキャン動作制御プログラムは、「搬送プログラム」の一例である。スキャン開始指示は、「搬送開始指示」の一例である。
本発明は上記した実施形態に限定されず、その趣旨を逸脱しない範囲で種々の構成を採用可能であることは言うまでもない。上述した各構成要素を複数の装置で協働して実現していてもよいし、複数の構成要素を１つの回路兼ねていてもよい。例えば、本実施形態は、以下のような形態に変更することができる。
【０１１４】
コントローラー５は、タッチパネル２１に表示されたスキャン開始ボタンＤ１ｄに対するタッチ操作の検出信号を、スキャン開始指示として取得する構成に限定されるものではない。例えば、コントローラー５は、コンピューターＰＣに対するユーザーの操作に基づいて、コンピューターＰＣから複合機Ａに送信されたスキャン開始コマンドを、スキャン開始指示として取得する構成であってもよい。延長指示および待機中止指示についても、同様である。
【０１１５】
コントローラー５は、タッチパネル２１に表示された所定時間設定ボタンＤ２ａに対するタッチ操作の検出等に基づいて待機時間を設定し、これに対応した待機時間情報を記憶する構成に限定されるものではない。例えば、コントローラー５は、コンピューターＰＣにより設定された待機時間に対応した待機時間情報をコンピューターＰＣから受信し、これを記憶してもよい。原稿Ｂのサイズ情報についても、同様である。
【０１１６】
コントローラー５は、待機時間情報を、ＲＡＭ５３等に書換え可能に記憶する代わりに、予めＲＯＭ５２等に書換え不能に記憶してもよい。すなわち、コントローラー５は、常に同じ待機時間を用いてもよい。
【０１１７】
コントローラー５は、指示後経過時間が待機時間に達した時点で、原稿Ｂが手差しされていない場合に、読取機構３にスキャン動作を開始させない、すなわち、搬送部３２に原稿Ｂの搬送を開始させない構成に限定されるものではない。コントローラー５は、原稿Ｂが手差しされているか否かに拘らず、指示後経過時間が待機時間に達した時点で、搬送部３２に原稿Ｂの搬送を開始させてもよい。
【０１１８】
コントローラー５は、原稿サイズが基準サイズよりも小さいと判断した場合に、指示後経過時間が待機時間に達する前に原稿Ｂの搬送を開始する方法として、指示後経過時間が待機時間に達したか否かを判断せずにスキャン動作を開始させるが、これに限定されるものではない。例えば、コントローラー５は、原稿サイズが基準サイズよりも小さいと判断した場合に、指示後経過時間が、待機時間よりも短い短期待機時間に達した後に、スキャン動作を開始させる構成でもよい。また、コントローラー５は、原稿サイズに応じて、待機時間を３段階以上で設定しても良い。
【０１１９】
コントローラー５は、搬送方向における原稿Ｂの長さを原稿サイズとして、基準長さを基準サイズとして、原稿サイズが基準サイズよりも小さいか否かの判断を行うが、これに限定されるものではない。例えば、コントローラー５は、搬送方向に交差する幅方向における原稿Ｂの長さ（原稿Ｂの幅）を原稿サイズとして、基準幅を基準サイズとして、原稿サイズが基準サイズよりも小さいか否かの判断を行ってもよい。また、コントローラー５は、原稿Ｂの面積を原稿サイズとして、基準面積を基準サイズとして、原稿サイズが基準サイズよりも小さいか否かの判断を行ってもよい。
【０１２０】
一方、コントローラー５は、原稿サイズに拘らず、指示後経過時間が待機時間に達した後に、スキャン動作を開始させる構成でもよい。
【０１２１】
スキャン待機中画面Ｄ４に表示される残存時間表示Ｄ４ａは、時間の経過と共に減少する数字に限定されるものではなく、例えば、時間の経過と共に短くなるバーでもよく、時間の経過と共に一つずつ消去される複数の図形でもよく、これらが併用されてもよい。
【０１２２】
スキャン待機中画面Ｄ４には、指示後経過時間を示す経過時間表示を、残存時間表示Ｄ４ａに代えて、或いは、残存時間表示Ｄ４ａと共に、表示してもよい。経過時間表示は、残存時間表示Ｄ４ａと同様に、時間の経過と共に増加する数字でもよく、時間の経過と共に長くなるバーでもよく、時間の経過と共に一つずつ出現する複数の図形でもよく、これらが併用されてもよい。
【０１２３】
コントローラー５は、タッチパネル２１に残存時間表示Ｄ４ａを表示させることにより、残存時間を報知させるが、これに限定されるものではない。例えば、コントローラー５は、複合機Ａに設けられたタッチパネル２１以外の表示部（例えば、液晶ディスプレー）或いはコンピューターＰＣの表示部に、残存時間表示Ｄ４ａを表示させてもよい。
【０１２４】
また、コントローラー５は、音声出力部（例えば、スピーカー）に残存時間を音声出力させることにより、残存時間を報知させてもよい。また、コントローラー５は、複数の点灯部（例えば、ＬＥＤランプ）を時間の経過と共に一つずつ消灯させることにより、残存時間を報知させてもよい。指示後経過時間の報知についても同様である。なお、残存時間或いは指示後経過時間を報知する報知部は、上記のタッチパネル２１を含め、複合機Ａに対して外付けのものであってもよい。
【０１２５】
コントローラー５は、所定時間設定ボタンＤ２ａの一つとして、待機時間を、「０」（０秒間）に設定可能なボタンを設けてもよい。コントローラー５は、待機時間として「０」が設定された場合は、スキャン動作制御処理のうち、例えば、原稿Ｂの手差し検出（Ｓ１０８）から開始してもよく、スキャン動作の開始（Ｓ１１０）およびスキャン動作中画面Ｄ５の表示（ステップＳ１１１）から開始してもよい。
【０１２６】
コントローラー５は、ステップＳ１０３にて原稿サイズが基準サイズよりも小さいと判断した場合に、ステップＳ１０８に進み、原稿Ｂが手差しされたことを検出した場合に、スキャン動作を開始してもよい。この場合、ユーザーは、原稿サイズが大きい場合と同様に、スキャン開始ボタンＤ１ｄに対するタッチ操作を行った後、原稿Ｂを手差しすればよい。
【０１２７】
搬送部３２が原稿Ｂを搬送する方式は、ローラー搬送方式に限定されるものではなく、例えば、ベルト搬送方式でもよい。
【０１２８】
本実施形態の複合機Ａは、大判の原稿Ｂに対応したものであるが、対応可能な原稿Ｂのサイズは、特に限定されるものではなく、例えば、家庭やオフィス等で一般に用いられる、Ａ４判やＡ３判或いはそれらよりも小さいサイズの原稿Ｂが上限である複合機に、本発明を適用してもよい。
【０１２９】
印刷機構４が、手差しされた印刷媒体（カット紙）に対して印刷可能である場合には、本発明を、印刷機構４に適用してもよい。また、本発明は、複合機Ａに限らず、手差しされる搬送対象物を搬送するものであれば、あらゆる搬送装置に適用可能であり、例えば、スキャン動作のみを実行可能な装置或いは印刷のみを実行可能な装置に適用可能である。搬送対象物についても、手差しされる搬送装置に応じて、原稿Ｂのほか、印刷媒体など、種々のものを用いることができ、そのサイズおよび材質は、特に限定されるものではない。
【０１３０】
スキャン動作制御プログラムを、コンピューターで読取り可能な記録媒体（ＣＤ−ＲＯＭ、フラッシュメモリー等）に格納して提供してもよい。
【符号の説明】
【０１３１】
２…操作パネル、３…読取機構、５…コントローラー、６…ストレージ、７…媒体インターフェース、８…通信インターフェース、９…タイマー、２１…タッチパネル、２２…操作ボタン、３４…原稿検出部、５１…ＣＰＵ、５２…ＲＯＭ、５３…ＲＡＭ、３２３…搬送モーター、３３１…光源、３３２…イメージセンサー、Ａ…複合機、Ｍ…記憶媒体、ＰＣ…コンピューター
【図１】
2018104178.tif 000003
【図２】
2018104178.tif 000004
【図３】
2018104178.tif 000005
【図４】
2018104178.tif 000006
【図５】
2018104178.tif 000007
【図６】
2018104178.tif 000008
【図７】
2018104178.tif 000009
【図８】
2018104178.tif 000010
【図９】
2018104178.tif 000011